(57)【要約】      （修正有）【課題】フイルムシートで被服された圃場に植えられた地下茎作物を引き抜き搬送コンベアにより引き抜き搬送する収穫機において、フイルムシートが持ち上げられて搬送コンベア部に巻き付かなくする。【解決手段】引抜き搬送コンベア挟持始端部左右に設けたフイルムシート押さえローラー３０と、始端部の高さを安定させるゲージ輪３１とを有し、フイルムシート押さえローラー３０は、挟持始端部左右に位置し、それぞれ挟持始端前方箇所と後方箇所に配置され、ゲージ輪３１は、既収穫側のフイルムシート押さえローラー３０の前方に配置されるとともに、ゲージ輪３１側面部に前方部からゲージ輪３１外周に沿って下方に湾曲され、さらに後方に延設されて構成された前方フイルムシート押さえ部材３１ａが設けられている地下茎作物の収穫機。【選択図】図４
0003140952.tif 000002
【実用新案登録請求の範囲】
【請求項１】
フイルムシートで被服された圃場に植えられた地下茎作物の収穫装置を設け、前記フイルムシートを機体進行とともに進行方向に切断していくシートカッターを設けた地下茎作物の収穫機において、
収穫装置は、前方から後方に亘って後上がりに斜設された左右一対のベルトコンベアにより圃場に植えられた作物の茎葉部を挟持して抜き取る引抜き搬送コンベア部と、該引抜き搬送コンベア始端部近傍に設けられ土中の地下茎作物の下方部を通過させ周辺の土を膨軟にするとともに根の一部を切断する根切刃と、引抜き搬送コンベア挟持始端部左右に設けたフイルムシート押さえローラーと、引抜き搬送コンベア始端部の高さを安定させるゲージ輪とを有し、
前記フイルムシート押さえローラーは、引抜き搬送コンベア挟持始端部左右に位置し、それぞれ引抜き搬送コンベア挟持始端と同位置または前方箇所と後方箇所に配置され、前記ゲージ輪は、既収穫側の前記フイルムシート押さえローラーの前方に配置されるとともに、該ゲージ輪側面部にゲージ輪前方部からゲージ輪外周に沿って下方に湾曲され、さらに後方に延設されて構成された前方フイルムシート押さえ部材が設けられていることを特徴とする地下茎作物の収穫機。
【請求項２】
フイルムシート押さえローラーは、進行方向と直交する水平軸を中心にそれぞれ上下回動自在であるとともに、引抜き搬送コンベア挟持始端部後方箇所に位置するフイルムシート押さえローラーがその前方箇所に位置するフイルムシート押さえローラーより引抜き搬送コンベア挟持中心側に位置していることを特徴とする請求項１記載の地下茎作物の収穫機。
【考案の詳細な説明】
【技術分野】
【０００１】
本考案は、フイルムシートで被服された圃場の畝に植えられた地下茎作物の茎葉部を挟持し引抜いて収穫する引抜き搬送コンベアを設けた収穫機に関するものである。
【背景技術】
【０００２】
この種の引抜き搬送コンベアを備えた地下茎作物等の収穫機の従来技術として特許第３３７８４２５号公報（従来技術１）の「根菜収穫機」が知られている。これには、「挟持搬送装置（１１）の前端部近傍に、圃場に被覆されたフイルムシート（Ｓ）の栽培孔列の横側脇上に作用して、フイルムシート（Ｓ）が浮上して挟持搬送装置（１１）に巻込まれるのを阻止するシート巻込み防止ガイド（３０）を前記挟持搬送装置（１１）の挟持始端部の前方箇所と、前記挟持搬送装置（１１）の挟持始端部より後方箇所とに配置」した根菜収穫機の記載がある。
【特許文献１】特許第３３７８４２５号公報（従来技術１）
【考案の開示】
【考案が解決しようとする課題】
【０００３】
フイルムシートで被服された圃場に複数条に植えられた地下茎作物等の茎葉部を挟持して抜き取る引抜き搬送コンベア部を設けた収穫機において収穫作業を行う場合、一つの畝に複数条に植えられている作物を一条ずつ掘り取り、収穫した条のフイルムシートを車体走行部で必要以上に踏み潰さないように、隣接する次の未収穫条を作業する前に取り除きながら作業しようとすると、収穫条のフイルムシートを未収穫側から切断分離する必要がある。また、フイルムシートが有ると、引抜き搬送コンベア部フレームから延設され土中の地下茎作物の下方部を通過させる根切刃が通過する際に、フイルムシートが引っかかり妨げとなる。このため、収穫作業中にフイルムシートを既収穫地側と未収穫地側とに進行方向にシートカッターで切断しながら作業が行われる。
【０００４】
この時、フイルムシートに開けられた孔から伸びた茎葉部を挟持して抜き上げる時に球根部が孔と干渉しフイルムシートが持ち上げられ、引き抜き搬送コンベア部に引き込まれ巻き付く等の不具合が発生する場合があった。このため、従来技術１のように引き抜き搬送コンベアの挟持始端側方にフイルムシートの押さえ部材等が設けてある。しかし、シートカッターで切断されたフイルムシートの端部側は、押さえが無いため引き寄せられやすく、掘り取り作業時に捲れ上がるなどにより前記押さえ部材から外れてフイルムシートが持ち上げられ引き抜き搬送コンベア部に引き込まれて巻き付く等の不具合が発生していた。
【０００５】
このため本考案の目的は、フイルムシートで被服された圃場に植えられた地下茎作物を引き抜き搬送コンベアにより挟持して引き抜くとともに搬送する収穫機において、フイルムシートが搬送コンベア部に巻き付く不具合の解消を目的としたものである。
【課題を解決するための手段】
【０００６】
上記課題を解決するために、フイルムシートで被服された圃場に植えられた地下茎作物の収穫装置を設け、前記フイルムシートを機体進行とともに進行方向に切断していくシートカッターを設けた地下茎作物の収穫機において、収穫装置は、前方から後方に亘って後上がりに斜設された左右一対のベルトコンベアにより圃場に植えられた作物の茎葉部を挟持して抜き取る引抜き搬送コンベア部と、該引抜き搬送コンベア始端部近傍に設けられ土中の地下茎作物の下方部を通過させ周辺の土を膨軟にするとともに根の一部を切断する根切刃と、引抜き搬送コンベア挟持始端部左右に設けたフイルムシート押さえローラーと、引抜き搬送コンベア始端部の高さを安定させるゲージ輪とを有し、前記フイルムシート押さえローラーは、引抜き搬送コンベア挟持始端部左右に位置し、それぞれ引抜き搬送コンベア挟持始端と同位置または前方箇所と後方箇所に配置され、前記ゲージ輪は、既収穫側の前記フイルムシート押さえローラーの前方に配置されるとともに、該ゲージ輪側面部にゲージ輪前方部からゲージ輪外周に沿って下方に湾曲され、さらに後方に延設されて構成された前方フイルムシート押さえ部材が設けられていることを特徴とする地下茎作物の収穫機を提案する。
【０００７】
また、フイルムシート押さえローラーは、進行方向と直交する水平軸を中心にそれぞれ上下回動自在であるとともに、引抜き搬送コンベア挟持始端部後方箇所に位置するフイルムシート押さえローラーがその前方箇所に位置するフイルムシート押さえローラーより引抜き搬送コンベア挟持中心側に位置していることを特徴とする前記０００６欄記載の地下茎作物の収穫機を提案する。
【考案の効果】
【０００８】
この考案によれば、フイルムシート押さえローラーは、引抜き搬送コンベア挟持始端部左右に位置し、それぞれ引抜き搬送コンベア挟持始端と同位置または前方箇所と後方箇所に配置されていることで、作物の引抜き時に根部がフイルムシートに引っかかっても確実に四方を押さえてフイルムシートを持ち上げられることを防止する。また、ゲージ輪は、既収穫側のフイルムシート押さえローラーの前方に配置されるとともに、該ゲージ輪側面部にゲージ輪前方部からゲージ輪外周に沿って下方に湾曲され、さらに後方に延設されて構成された前方フイルムシート押さえ部材を設けたことにより、シートカッターにより切断された既収穫側の押さえが無い側のフイルムシートを、引抜き部より離れた前方から後方の引抜き部に亘って広く押さえることができるため、捲れ上がり等が防止されフイルムシート押さえローラーが確実に作用するとともに既収穫側の押さえが無い側のフイルムシートが引きずり上げられることを防止でき、引抜き搬送コンベア部への巻き込みが防止され掘り取り作業を効率よく行うことができる。また、構造が簡単でコスト高にならず安価に構成ができる。
【０００９】
さらに、フイルムシート押さえローラーは、進行方向と直交する水平軸を中心にそれぞれ上下回動自在に構成すると、圃場の凹凸に常に追従してフイルムシートを押さえることができ、引抜き搬送コンベア挟持始端部後方箇所に位置するフイルムシート押さえローラーがその前方箇所に位置するフイルムシート押さえローラーより引抜き搬送コンベア挟持中心側に位置させることにより、引抜きされる収穫作物のより近い外周のフイルムシートを押さえることができるため、フイルムシートの持ち上げなどが起こらず引抜き搬送コンベアへの巻込みが防止される。
【考案を実施するための最良の形態】
【００１０】
以下、本考案の実施例を図面に基づいて説明する。図１は本考案を実施した地下茎作物収穫機の側面図、図２は同じく平面図、図３は同じく後面図、図４は引抜き搬送コンベア挟持始端部の要部平面図、図５は引抜き搬送コンベア挟持始端部の要部側面図、図６は地下茎受け部と毛根切断部の平面図、図７は毛根切断部の側面図、図８は毛根切断部の毛根把持部を示した後方視図、図９はゲージ輪とフイルムシート押さえローラーの位置関係を示した正面断面図、図１０はシートカッターの要部側面図を示したものである。
【００１１】
この考案の１つの実施形態である地下茎作物の収穫機は、自走可能な車体1と、操縦席２と、操作装置３と、地下茎作物の収穫装置４と、作業者の乗車部５を設けている。自走可能な車体１は、クローラ装置１ａにより自走し、操縦席２に座る操縦者の操縦によって走行する。操縦者は、操作装置３を操作して収穫装置４を作動させる。
【００１２】
収穫装置４は、後上がりに斜設される引抜き搬送コンベア部６と、引抜き搬送コンベア部６の始端部近傍に設けられる根切刃７と、引抜き搬送コンベア部６に設けられ地下茎作物Ｃを搬送途中に地下茎作物Ｃの茎葉部Ｌと地下茎部Ｕとを切断分離する茎葉部切断部８と、茎葉部切断部８の下方に設けられる地下茎受け部９と、地下茎部Ｕを載置可能に移動させる球根移動体１０ａ及び地下茎部Ｕから毛根部Ｒと茎Ｓを切断する毛根茎切断刃１０ｂ及び毛根把持部１０ｃとを有する毛根切断部１０と、切断部貯留コンテナ１４と、受け部貯留コンテナ１５とを設ける。
【００１３】
作業者の乗車部５は座席からなる。この実施例では走行方向と直交する方向に並んだ２つの座席からなり、毛根切断部１０の球根移動体１０ａに隣接して走行方向を向いて設けられる。
【００１４】
引抜き搬送コンベア部６は、左右一対の弾性エンドレスベルト６ａ、６ａを前部上流側を下部、後部下流側を上部に位置させ斜めに配設され、左右それぞれの弾性エンドレスベルト６ａ、６ａは後方上部に位置する駆動スプロケット６ｂ、６ｂ、前方下部に位置する従動スプロケット６ｃ、６ｃ間に掛け渡され、対向面は互いに左右から対向して接し前部下方から後部上方に移動しエンドレス回転する。引抜き搬送コンベア部６の先端には、引抜き搬送コンベア挟持始端部６ｄに向けハの字状に前方を開放した形状の茎葉ガイド１３を設けている。
【００１５】
引抜き搬送コンベア部６の始端部近傍に根切刃７を設ける。根切刃７は、引抜き搬送コンベア部６のフレームに前後方向回動自在に軸支される根切りフレーム７ａの先端に走行方向とは直交する方向に掛け渡されてなり正面視Ｌ字状となっていて、土中の地下茎作物Ｃの下方部を通過させるとともに、前後に揺動させて地下茎周辺の土を膨軟化するとともに根部の一部を切断する。
【００１６】
引抜き搬送コンベア部６のフレームに設けられる茎葉部切断部８は、引抜き搬送コンベア部６のフレーム下部に設けられる対向する２つの円形の回転カッター８ａ、８ａからなり、互いに逆回転して、搬送されてくる地下茎作物Ｃを搬送途中に地下茎作物Ｃの茎葉部Ｌと地下茎部Ｕとに切断分離する。
【００１７】
引抜き搬送コンベア部６の上端部で下流側端部となる位置にエンドレスチェーンコンベアからなる排葉体１１を設ける。排葉体１１は、エンドレスチェーンコンベアの上流側端部を引抜き搬送コンベア部６の下流側端部と隣接して設け、茎葉部切断部８で切断された茎葉部Ｌのみを引っ掛けて排葉体１１の下流側端部に連設される排葉シュート１２から排出する。
【００１８】
引抜き搬送コンベア部６始端部より進行方向後方且つ茎葉部の挟持部より未収穫作物側に位置し、作物植付け畝Ｇを被覆してあるフイルムシートＦを機体進行とともに進行方向に切断していくシートカッター２０が引抜き搬送コンベア部６を構成する引抜き搬送コンベアフレーム６ｅに設けられている。
【００１９】
シートカッター２０は、進行方向と直交する水平方向のカッター回転軸２０ａにより回転自在な外周を鋭利に形成された垂直方向の円板で構成されていて、本実施例においては駆動モータ２０ｂにより機体前進速度より速い速度で前進側に強制回転駆動させて、先端外周を土中に貫入させフイルムシートＦを切断していくように構成されている。強制駆動させずに自転させることでも切断は可能である。
【００２０】
シートカッター２０は、引抜き搬送コンベアフレーム６ｅに対しスイングアーム２２により上下左右揺動可能に設けられている。スイングアーム２２の一端の引抜き搬送コンベアフレーム６ｅへの連結部は、垂直方向の左右回動軸２２ａと水平方向の上下回動軸２２ｂにより上下左右に揺動する揺動部材２２ｃを介して連結されていてスイングアーム２２は上下左右へ揺動可能であり、他端にはシートカッター２０が設けられている。
【００２１】
また、スイングアーム２２の前記揺動部材２２ｃとシートカッター２０との間には、スイングアーム２２を下方に付勢するスプリング２４が設けてあり、スプリング２４は引抜き搬送コンベアフレーム６ｅとスイングアーム２２に架け渡されたサポートロッド２３に挿入されていて、サポートロッド２３はスイングアーム２２に対し一端が軸方向にスライド可能であり、スライドすることでスプリング２４が伸縮しスイングアーム２２を付勢している。これによりシートカッター２０は、圃場の凹凸や車体のローリングに対し追従しフイルムシートＦを切断していく。
【００２２】
地下茎受け部９は、この実施形態ではベルトコンベアからなり、走行方向とは直交する方向へ平行して隣接される球根移動体１０ａの速度より遅い速度で移動する。毛根切断部１０の球根移動体１０ａは、ベルトコンベアからなる地下茎受け部９に隣接して平行である横長のフレーム１００の略中央に設けられたチェーンコンベア１０１にチェーンコンベア１０１の進行方向に整列して多数のバケット１０２を取り付けてなる。
【００２３】
各バケット１０２は、チェーンコンベア１０１の進行方向左右に対向して設けられる根置板１０３と補助板１０４とからなる。各々の根置板１０３は、図６に図示されるように上面の中央部が凹んだ板状体からなり、この実施例ではチェーンコンベア１０１の進行方向左側に立設する。各々の補助板１０４は各々の根置板１０３の対応する位置にそれぞれ設けられ水平部分を有する斜め板状体からなる。
【００２４】
チェーンコンベア１０１は、走行車の走行方向に対して左右のフレーム位置に設けられている水平方向に回転軸を有する移動体スプロケット１０５間に掛け渡されており上下にエンドレス回転する。チェーンコンベア１０１の移動速度は、地下茎受け部９であるベルトコンベアの移動速度より速い速度で移動する。
【００２５】
毛根切断部１０の毛根茎切断刃１０ｂは、チェーンコンベア１０１の下流側の左右に設けられる回転円形刃からなる毛根カッター１０６と茎カッター１０７からなる。毛根カッター１０６は、バケット１０２の根置板１０３側で根置板１０３側の外側に隣接して設けられ、茎カッター１０７より下流側にずれて設けられる。茎カッター１０７は、バケット１０２の補助板１０４側で補助板１０４側の外側に設けられ、毛根カッター１０６より上流側にずれて設けられる。毛根カッター１０６の位置は、他の実施例ではチェーンコンベア１０１の進行方向の右側に設けてもよいがそのときは根置板１０３も同じ側に設けられる。
【００２６】
毛根切断部１０の毛根把持部１０ｃは、図８に示すように上下一対の毛根把持チェーン１０８、１０８をそれぞれ互いに上下で圧着するように把持チェーンスプロケット１０９間にエンドレス状に掛け渡されてなる。各毛根把持チェーン１０８は、外方に向けて凹凸歯状を有した板状の把持部材１０９をチェーン進行方向に多数設けており、上下の把持部材１０９は、上下の毛根把持チェーン１０８、１０８が圧着する部分で係合圧着するように設けられている。
【００２７】
毛根把持部１０ｃの上下一対の毛根把持チェーン１０８、１０８は、圧着部分で球根移動体の１０ａのチェーンコンベア１０１の進行方向と同じ方向に移動するが、上流側は搬送されてくる毛根部分を上下から挟みやすいように適度の幅から徐々に狭まる構造である。１１０は板ばねであり下部の毛根把持チェーン１０８の上進行側を内側から上方に押圧して把持部材１０９の係合を補助している。
【００２８】
毛根切断部１０の毛根把持部１０ｃは、図６に示すように平面視で上流側より下流側が、球根移動体１０ａのチェーンコンベア１０１から次第に離れるように設けられている。１１２は毛根切断部用駆動モータである。毛根切断部１０は、その駆動装置である毛根切断部用駆動モータ１１２が引抜き搬送コンベア部６や走行車体１の走行部とは独立して駆動するように設けられている。
【００２９】
切断部貯留コンテナ１４は、毛根切断部１０の球根移動体１０ａの最下流側の下方に載置される上面が開放された箱状体からなり、車体１に折畳み自在に設けられ開いて水平状態で支持される載置板１６に着脱自在に載置される。
【００３０】
受け部貯留コンテナ１５は、ベルトコンベアからなる地下茎受け部９の最下流側の下方に載置される上面が開放された箱状体からなり、車体１に折畳自在に設けられ開いて水平状態で支持される載置板１６に着脱自在に載置される。載置板１６は、走行方向の横方向へ開閉自在の載置板の折畳部１６ａを設けて載置板１６の幅を拡張可能である。
【００３１】
引抜き搬送コンベア部６前方端部の引抜き搬送コンベア挟持始端部６ｄにはフイルムシート押さえ部材３０が設けられていて、引抜き搬送コンベア部６で挟持され上方に引抜かれた地下茎作物により持ち上げられようとするフイルムシートＦを押さえ込む。
【００３２】
フイルムシート押さえ部材３０は、本考案においては図４に示すように、引抜き搬送コンベア部６の引抜き搬送コンベア挟持始端部６ｄ両側に前後２個設けられた押さえローラー３０ａ，３０ａで構成されていて、押さえローラー３０ａはそれぞれ引抜き搬送コンベアフレーム６ｅにローラーアーム３０ｂにより上下回動自在に保持されている。ローラーアーム３０ｂの一端は引抜き搬送コンベアフレーム６ｅに進行方向と直交する水平回動軸で回動自在に保持され、他端には押さえローラー３０ａが回転自在に保持されている。押さえローラー３０ａが上下動することで引抜き搬送コンベアフレーム６ｅが上下した場合や畝Ｇの凹凸に対応追従しフイルムシートＦを押さえ込む。本考案の押さえローラー３０ａは自重により下方に垂れ下がりフイルムシートＦを押さえ付けているが、スプリング等で下方に付勢した構造としても良い。
【００３３】
引抜き搬送コンベア挟持始端部６ｄ両側に前後２個設けられた押さえローラー３０ａ，３０ａは、本例においては前方側の押さえローラーが略引抜き搬送コンベア挟持始端部６ｄと前後位置において同位置に設けられているとともに、後方側の押さえローラーが左右方向において前方側より引抜き搬送コンベア挟持中心側に位置している。これにより、引抜かれる地下茎作物の左右と後方側を囲むように押さえることができるため、フイルムシートの持ち上げが確実に防止される。
【００３４】
引抜き搬送コンベア部６の前方には、茎葉挟持高さ位置を安定させるためのゲージ輪３１が設けてあり、畝Ｇ上面を転動しながら高さを安定させるとともに、フイルムシートＦの浮き上がりをフイルムシート押さえ部材３０より離れた前方位置で押さえ、フイルムシート押さえ部材３０とともに防止する。また、ゲージ輪３１側面部にはゲージ輪３１前方部からゲージ輪３１外周に沿って下方に湾曲され、さらに後方に延設されて構成された前方フイルムシート押さえ部材３１ａが設けられていて、ゲージ輪３１側から後方のフイルムシート押さえ部材３０側に亘って広範囲でフイルムシートを押さえる。前方フイルムシート押さえ部材３１ａは、前工程で切断されたフイルムシートＦ端部が風などで捲れあがる等の不具合も防止可能である。
【００３５】
ゲージ輪３１はゲージ輪回動アーム３１ｂの一端に回転自在に設けられていて、他端側は引抜き搬送コンベアフレーム６ｅに上下回動自在及び固定可能に設けられていて、上下位置を調整できる。また、操縦席２から目視可能である位置にあるため、ゲージ輪３１の沈み込みや浮き上がりを容易に確認できる。前方フイルムシート押さえ部材３１ａは、前記ゲージ輪回動アーム３１ｂに固着されて設けられていて、後方のフイルムシート押さえ部材３０より押圧力を小さく設定するとフイルムシートＦの引きずりが発生しない。
【００３６】
図９は、ゲージ輪３１とフイルムシート押さえローラー３０ａの作業時の位置関係を示した正面断面図で、畝Ｇに複数条植えられた地下茎作物Ｃとともに示したものである。最前方部のゲージ輪３１が既収穫側の前工程で切断されたフイルムシートＦの端部側に位置し、その後方にフイルムシート押さえ部材３０の押さえローラー３０ａが引抜かれる地下茎作物の左右に位置してフイルムシートＦを押さえている。その後方には、収穫された後のフイルムシートＦを未収穫側から切断分離するシートカッター２０を位置させている。
【００３７】
次にこの考案の１つの実施形態である地下茎作物の収穫機の作動について説明する。操縦席２に座った操縦者の操縦によって走行可能な車体１はクローラ装置１ａを駆動させ走行し、操縦者は操作装置３を操作して収穫装置５を作動させる。収穫物を車上で処理する作業者は、座席５に走行方向に向かって座る。この実施例では左右２つの座席５を設けており２人での作業が可能である。
【００３８】
車体１を矢印Ａ方向に走行させ収穫装置４を作動させ前端部のゲージ輪３１を畝上面に位置させると、引抜き搬送コンベア部６の前部に設けられ土中に位置する根切刃７が前後に揺動しながら地下茎作物Ｃの地下茎部Ｕ近傍の土を膨軟化させるとともに毛根部Ｒの下方を切る。地下茎作物Ｃの茎葉部Ｌは茎葉ガイド１３によってガイドされ、回転する引抜き搬送コンベア部６の左右一対の弾性エンドレスベルト６ａ、６ａの対向面間に挟まれて引き抜かれ、挟まれたまま斜め上後方へ搬送される。この際、ゲージ輪３１，前方フイルムシート押さえ部材３１ａ，フイルムシート押さえ部材３０によってフイルムシートＦが確実に押さえられるため、引抜き搬送コンベア部６に引き上げられて巻き込まれることが無い。
【００３９】
斜め上後方へ搬送される地下茎作物Ｃは、途中に設けられた互いに逆回転する茎葉部切断部８のカッター８ａ間に入り茎葉部Ｌと地下茎部Ｕに切断される。切断された地下茎部Ｕは、そのまま下に落下して地下茎受け部９であるベルトコンベア上に落ちる。地下茎部Ｕを切り離した茎葉部Ｌは、そのまま斜め上方へ搬送され、排葉体１１であるエンドレス回転チェーン１１に引っ掛かり、その下流側の排葉シュート１２上に落下して圃場に排出される。
【００４０】
地下茎受け部９に落下した地下茎部Ｕは、ベルトコンベアの移動によってゆっくり移動するため同じ場所に次々落ちてくる地下茎部Ｕが溜まることはない。ゆっくり移動する地下茎部Ｕは、乗車部である座席５に座る２人の作業者によって毛根切断部１０のバケット１０２上に供給、載置される。
【００４１】
それぞれの地下茎部Ｕは、バケット１０２の根置板１０３の中央凹部に毛根部Ｒを置き、補助板１０４側にバルブＢに残る茎Ｓを置くため向きが決まってバケット１０２に載置される。この状態でチェーンコンベア１０１の移動により毛根切断刃１０ｂに至ると、茎ＳとバルブＢは、茎カッター１０７によって切断され、毛根部ＲとバルブＢとの間は毛根カッター１０６によって切断される。このとき毛根部Ｒは、毛根カッター１０６に切断される前に、毛根把持部１０ｃの毛根把持チェーン１０８の間に挟まれるが、毛根把持チェーン１０８が、図５に示すように平面視で上流側より下流側が、球根移動体１０ａのチェーンコンベア１０１から次第に離れるように設けられているため、毛根部Ｒは走行車走行方向へ引張られるため、切断がより確実になるとともに、バルブＢの底面が根置板１０３側に引張られ毛根カッター１０６に接近するためバルブＢ底面に近い位置で毛根部Ｒが切断される。
【００４２】
茎Ｓと毛根部Ｒを切断されたバルブＢは、バケット１０２に載ったまま搬送され下流側にある切断部貯留コンテナ１３に落下して貯留される。
【００４３】
地下茎受け部９に落下した地下茎部Ｕのうちベルトコンベアの移動中に作業者に取られなかった地下茎部Ｕは、ベルトコンベアの下流側下方に位置する受け部貯留コンテナ１４に落下して貯留される。受け部貯留コンテナ１４に落下した未処理の地下茎部Ｕは、掘り上げ作業終了後、再度毛根処理部１０のみを作動させて処理してもよく、また別の時期、別の場所という別工程で毛根等の除去の処理をすることができる。
【００４４】
クローラ装置１ａの未収穫側の側方に位置するシートカッター２０により、収穫作業と同時に収穫された後のフイルムシートＦを未収穫側から切断分離する。これにより、収穫した条のフイルムシートを車体走行部で必要以上に踏み潰さないように隣接する次の未収穫条を作業する前に取り除きながら作業が可能で、隣の条を収穫するときに引抜き搬送コンベアフレーム６ｅから延設され土中に位置する根切刃７を通過させる際に、フイルムシートが引っかかるのを防止でき効率よく作業を行うことができる。
【００４５】
この考案は、フイルムシートで被服された圃場の畝に植えられたニンニク等の地下茎作物を、走行車体により走行しつつ畑より抜き取り収穫する地下茎作物の収穫機に利用するとよい。走行可能な車体１は、操縦席２を設けていない歩行型の収穫機であっても本考案を利用できる。
【図面の簡単な説明】
【００４６】
【図１】本考案を実施した地下茎作物収穫機の側面図。
【図２】本考案を実施した地下茎作物収穫機の平面図。
【図３】本考案を実施した地下茎作物収穫機の後面図。
【図４】引抜き搬送コンベア挟持始端部の要部平面図。
【図５】引抜き搬送コンベア挟持始端部の要部側面図。
【図６】地下茎受け部と毛根切断部の平面図。
【図７】毛根切断部の側面図。
【図８】毛根切断部の毛根把持部を示した後方視図。
【図９】ゲージ輪とフイルムシート押さえローラーの位置関係を示した正面断面図。
【図１０】シートカッターの要部側面図
【符号の説明】
【００４７】
１    走行可能な車体
１ａ    クローラ装置
２    操縦席
３    操作装置
４    収穫装置
５    作業者の乗車部(座席)
６    引抜き搬送コンベア部
６ａ    弾性エンドレスベルト
６ｂ    駆動スプロケット
６ｃ    従動スプロケット
６ｄ    引抜き搬送コンベア挟持始端部
６ｅ    引抜き搬送コンベアフレーム
７    根切刃
７ａ    根切フレーム
８    茎葉部切断部
８ａ    カッター
９    地下茎受け部
１０    毛根切断部
１０ａ    球根移動体（エンドレスチェーンコンベア）
１００  フレーム
１０１  チェーンコンベア
１０２  バケット
１０３  根置板
１０４  補助板
１０５  スプロケット
１０ｂ    毛根茎切断刃
１０６  毛根カッター
１０７  茎カッター
１０ｃ    毛根把持部
１０８  把持部チェーンコンベア
１０９  把持部材
１１０  把持部スプロケット
１１１  板ばね
１１２  毛根切断部用駆動モータ
１１    排葉体（エンドレスチェーンコンベア）
１２    排葉シュート
１３    茎葉ガイド
１４    切断部貯留コンテナ
１５    受け部貯留コンテナ
１６    載置板
１６ａ    載置板の折畳部
２０    シートカッター
２０ａ    カッター回転軸
２０ｂ    駆動モータ
２２    スイングアーム
２２ａ    左右回動軸
２２ｂ    上下回動軸
２２ｃ    揺動部材
２３    サポートロッド
２４    スプリング
３０    フイルムシート押さえ部材
３０ａ    押さえローラー
３０ｂ    ローラーアーム
３１    ゲージ輪
３１ａ    前方フイルムシート押さえ部材
３１ｂ    ゲージ輪回動アーム
Ｃ    地下茎作物
Ｕ    地下茎部
Ｒ  毛根部
Ｂ  バルブ
Ｓ  茎
Ｌ    茎葉部
Ｆ    フイルムシート
Ｇ    畝
【図１】
0003140952.tif 000003
【図２】
0003140952.tif 000004
【図３】
0003140952.tif 000005
【図４】
0003140952.tif 000006
【図５】
0003140952.tif 000007
【図６】
0003140952.tif 000008
【図７】
0003140952.tif 000009
【図８】
0003140952.tif 000010
【図９】
0003140952.tif 000011
【図１０】
0003140952.tif 000012